(57)【要約】【課題】  安定したレーザー出力制御を行うことが可能であり、光ディスクを高速で再生し、記録しあるいは消去することができる光ピックアップ装置を提供する。【解決手段】  光ピックアップは、２つの受発光一体型素子ａ、ビームスプリッターｂ、コリメートレンズｃ、立ち上げミラーｄ、対物レンズｅおよびフロントモニタ光受光素子ｇを備えてなる。フロントモニタ光受光素子ｇの受光面は略水平に配置されている。フロントモニタ光受光素子ｇに対向する位置には、ビームスプリッターｂからコリメートレンズｃにかけて、鋼板製反射板ｈが設けられている。反射板ｈは、フロントモニタ光受光素子ｇの受光面に平行な反射面を備えており、その反射面にクロムメッキ処理が施されている。反射板ｈは、反射面に入射したレーザビームを反射させてフロントモニタ光受光素子ｇの受光面へ導く。【選択図】  図１
2005259229.tif 000002
【特許請求の範囲】
【請求項１】
受発光一体型素子から出射され、略水平な光軸を有しているレーザビームが、ビームスプリッターにより透過または反射された後にコリメートレンズにより平行にされ、次いで、立ち上げミラーにより対物レンズのある上方へ向かって略直角に反射され、対物レンズを透過して光ディスクの記録面に集光され、集光されたレーザビームが、前記光ディスクの記録面で反射された後に逆の経路を経て前記受発光一体型素子へ戻るように構成され、さらに、前記ビームスプリッターにより透過または反射された後のレーザビームの一部を受光するフロントモニタ光受光素子が設けられ、このフロントモニタ光受光素子の受光面が略水平に設置されている光ピックアップ装置において、前記フロントモニタ光受光素子の受光面に対向する位置に、前記受発光一体型素子または前記ビームスプリッターから入射したレーザビームを反射させて前記フロントモニタ光受光素子の受光面へ導く反射板が設けられていることを特徴とする光ピックアップ装置。
【請求項２】
前記反射板の反射面として反射用切り起し部が設けられていることを特徴とする請求項１に記載の光ピックアップ装置。
【請求項３】
前記切り起し部が、レーザビームの入射角度に応じた切り起し角度を有していることを特徴とする請求項２に記載の光ピックアップ装置。
【請求項４】
前記反射板の反射面として反射用凹凸部が設けられていることを特徴とする請求項１に記載の光ピックアップ。
【請求項５】
前記凹凸部が、レーザビームの入射角度に応じた凹凸角度を有していることを特徴とする請求項４に記載の光ピックアップ装置。
【請求項６】
前記反射板の反射面として反射用凹面部が設けられていることを特徴とする請求項１に記載の光ピックアップ装置。
【請求項７】
前記反射板の反射面にメッキ処理が施されていることを特徴とする請求項１〜６のいずれか１つに記載の光ピックアップ装置。
【発明の詳細な説明】
【技術分野】
【０００１】
本発明は、ＣＤやＤＶＤに代表される光ディスク（光学式情報記録媒体）に対して情報の再生、記録および消去のうちの少なくとも１つを行うことのできる光ピックアップ装置に関し、特に、フロントモニタ光受光素子を用いてレーザビームの出力を制御する光ピックアップ装置に関する。
【背景技術】
【０００２】
図３は、受発光一体型素子を利用した従来の光ピックアップ装置の概略構成図である。この光ピックアップ装置において、受発光一体型素子ａから出射され、略水平な光軸を有しているレーザビームは、ビームスプリッターｂによって透過または反射される。透過または反射されたレーザビームは、コリメートレンズｃにより平行にされた後、立ち上げミラーｄにより、対物レンズｅのある上方へ向かって略直角に反射される。反射されたレーザビームは、対物レンズｅを透過して、光ディスクｆの記録面に集光される。
【０００３】
集光されたレーザビームは、光ディスクｆの記録面で反射され、往路とは逆の経路を経て、受発光一体型素子ａに戻る。このレーザビームはその後、受発光一体型素子ａの面上における回折格子（図示略）により受光面に導かれ、受光光量に応じた電気信号が検出される。
【０００４】
このような光ピックアップにあっては、受発光一体型素子ａから発せられた光の一部が、フレキシブルプリント回路（ＦＰＣ）において略水平に（すなわち、光軸に対して略平行に）配置されたフロントモニタ光受光素子ｇに入射する。このフロントモニタ光受光素子ｇは、入射光量に応じた電気信号を出力し、光ディスクｆ上に集光されたレーザビームが適当な強さになるように、自動出力制御（ＡＰＣ）回路により受発光一体型素子ａの出力を制御する。このような構造上、外部からの余分な光による制御系の乱れを防止する必要があり、この光ピックアップ装置には外部光遮蔽板ｈが設置されている。
【０００５】
光ピックアップに関する先行技術としては特許文献１が挙げられる。
【特許文献１】特開２００３−２５７０６４号公報
【発明の開示】
【発明が解決しようとする課題】
【０００６】
図３に示された構造の光ピックアップ装置は、フロントモニタ光受光素子ｇが光軸に対して略平行に配置されており、フロントモニタ光受光素子ｇに入射する光量が少ないため、ＡＰＣ回路の制御ゲインを大きくする必要がある。しかしながら、制御ゲインを大きくすると、ＡＰＣ回路の応答性が悪くなるため、光ピックアップ装置はＣＤやＤＶＤに代表される光ディスクの再生や記録の高速化に対応しきれなくなり、その品質が大きく損なわれるおそれがある。
【課題を解決するための手段】
【０００７】
本発明によれば、受発光一体型素子から出射され、略水平な光軸を有しているレーザビームが、ビームスプリッターにより透過または反射された後にコリメートレンズにより平行にされ、次いで、立ち上げミラーにより対物レンズのある上方へ向かって略直角に反射され、対物レンズを透過して光ディスクの記録面に集光され、集光されたレーザビームが、前記光ディスクの記録面で反射された後に逆の経路を経て前記受発光一体型素子へ戻るように構成され、さらに、前記ビームスプリッターにより透過または反射された後のレーザビームの一部を受光するフロントモニタ光受光素子が設けられ、このフロントモニタ光受光素子の受光面が略水平に設置されている光ピックアップ装置において、前記フロントモニタ光受光素子の受光面に対向する位置に、前記受発光一体型素子または前記ビームスプリッターから入射したレーザビームを反射させて前記フロントモニタ光受光素子の受光面へ導く反射板が設けられていることを特徴とする光ピックアップ装置が提供される。
【０００８】
ここで、反射板は、フロントモニタ光受光素子の受光面に入射する光量を従来よりも多くするために、前記フロントモニタ光受光素子の受光面に対向する位置に設けられている。そして、反射板は、前記受発光一体型素子または前記ビームスプリッターから入射したレーザビームを反射させて前記フロントモニタ光受光素子の受光面へ導く。
【発明の効果】
【０００９】
本発明の光ピックアップ装置によれば、このような反射板が設けられていることで、フロントモニタ光受光素子の受光面に入射する光量を従来よりも多くすることができ、したがって、光ピックアップ装置の安定したレーザー出力制御を行うことが可能になり、ＣＤやＤＶＤに代表される光ディスクを高速で再生し、記録しあるいは消去することができる。
【００１０】
本発明の光ピックアップ装置は、前記反射板の反射面にメッキ処理が施されているのが好ましい。前記反射板の反射面にメッキ処理が施されているときには、メッキ処理された反射面における反射効率が向上することにより、フロントモニタ光受光素子の受光面に入射する光量をよりいっそう多くすることができる。
【００１１】
本発明の光ピックアップ装置は、前記反射板の反射面として反射用切り起し部が設けられているのが好ましい。前記反射板の反射面として反射用切り起こし部が設けられているときには、反射面の切り起こし部における反射効率が向上することにより、フロントモニタ光受光素子の受光面に入射する光量をよりいっそう多くすることができる。
【００１２】
この切り起し部は、レーザビームの入射角度に応じた切り起し角度を有しているのが好ましい。その場合には、フロントモニタ光受光素子の受光面に入射する光量、ひいては受光面から反射する光量を最大にすることができる。
【００１３】
本発明の光ピックアップ装置は、前記反射板の反射面として反射用凹凸部が設けられているのが好ましい。前記反射板の反射面として反射用凹凸部が設けられているときには、反射面の凹凸部における反射効率が向上することにより、フロントモニタ光受光素子の受光面に入射する光量をよりいっそう多くすることができる。
【００１４】
この凹凸部は、レーザビームの入射角度に応じた凹凸角度を有しているのが好ましい。その場合には、フロントモニタ光受光素子の受光面に入射する光量、ひいては受光面から反射する光量を最大にすることができる。
【００１５】
本発明の光ピックアップ装置は、前記反射板の反射面として反射用凹面部が設けられているのが好ましい。前記反射板の反射面として反射用凹面部が設けられているときには、反射面の凹面部における反射効率が向上することにより、フロントモニタ光受光素子の受光面に入射する光量をよりいっそう多くすることができる。
【００１６】
前記の切り起し部、凹凸部および凹面部にはメッキ処理が施されているのが好ましい。これらの部分にメッキ処理が施されているときには、メッキ処理された部分における反射効率が向上することにより、フロントモニタ光受光素子の受光面に入射する光量をよりいっそう多くすることができる。
【発明を実施するための最良の形態】
【００１７】
ここで、例示としての目的だけで、添付図面を参照して本発明のいくつかの実施例を説明する。
【実施例１】
【００１８】
図１は、２つの受発光一体型素子ａを利用した、実施例１に係る光ピックアップ装置の概略構成図である。受発光一体型素子ａから出射され、略水平な光軸を有しているレーザビームは、ビームスプリッターｂにより透過または反射される。透過または反射されたレーザビームは、コリメートレンズｃにより平行にされた後、立ち上げミラーｄにより対物レンズｅのある上方へ向かって略直角に反射される。反射されたレーザビームは、対物レンズｅを透過して、光ディスクｆの記録面に集光される。
【００１９】
集光されたレーザビームは、光ディスクｆの記録面で反射され、往路と逆の経路を経て受発光一体型素子ａへ戻る。その後、受発光一体型素子ａの面上の回折格子（図示略）により受光面に導かれ、受光光量に応じた電気信号が検出される。
【００２０】
この光ピックアップ装置にはさらに、ビームスプリッターｂにより透過または反射された後のレーザビームの一部を受光するフロントモニタ光受光素子ｇが、ビームスプリッターｂとコリメートレンズｃとの間に設けられている。このフロントモニタ光受光素子ｇの受光面は略水平に配置されている。
【００２１】
また、フロントモニタ光受光素子ｇに対向する位置には、ビームスプリッターｂからコリメートレンズｃにかけて、鋼板製反射板ｈが設けられている。この反射板ｈは、フロントモニタ光受光素子ｇの受光面に平行な反射面を備えており、その反射面にクロムメッキ処理が施されている。反射板ｈは、受発光一体型素子ａまたはビームスプリッターｃから反射面に入射したレーザビームを反射させてフロントモニタ光受光素子ｇの受光面へ導く。
【００２２】
このような実施例１に係る光ピックアップ装置にあっては、メッキ処理が施された反射面を備えた反射板ｈが設けられていることで、フロントモニタ光受光素子ｇの受光面に入射する光量を従来よりも、また、メッキ処理が施されていないものよりもいっそう多くすることができ、したがって、光ピックアップ装置の安定したレーザー出力制御を行うことが可能になり、ＣＤやＤＶＤに代表される光ディスクｆを高速で再生し、記録しあるいは消去することができる。
【実施例２】
【００２３】
図２の最上段の図は、実施例１と同様に、２つの受発光一体型素子ａ、ビームスプリッターｂ、コリメートレンズｃ、立ち上げミラーｄ、対物レンズｅおよびフロントモニタ光受光素子ｇを利用した、実施例２〜４（ｉ／ｊ／ｋのそれぞれに対応）に係る、光ディスクｆのための光ピックアップ装置の概略構成図である。
【００２４】
図２の最上段のすぐ下の図は、実施例２に係る光ピックアップ装置における反射板ｉの斜視図（左側）および側面図（右側）である。
【００２５】
実施例２に係る光ピックアップ装置における反射板ｉは、鋼板製であって、その反射面として反射用切り起こし部が設けられている。この切り起こし部は、反射板の側面図に示すように、レーザビームの入射角度に応じてフロントモニタ光受光素子ｇへ最大限反射されるように最適な（すなわち、ビームスプリッターｂ側がより小さく、コリメートレンズｃ側がより大きい）切り起こし角度にされている。また、反射面にはクロムメッキ処理が施されている。
【００２６】
このような実施例２に係る光ピックアップ装置にあっては、メッキ処理が施された反射面としての反射用切り起こし部からなる反射板ｉが設けられていることで、フロントモニタ光受光素子ｇの受光面に入射する光量を従来よりも、また、メッキ処理が施されていないものよりも、さらに、切り起こし部のないものよりもいっそう多くすることができ、したがって、光ピックアップ装置の安定したレーザー出力制御を行うことが可能になり、ＣＤやＤＶＤに代表される光ディスクｆを高速で再生し、記録しあるいは消去することができる。
【実施例３】
【００２７】
図２の最上段から２段下の図は、実施例３に係る光ピックアップ装置における反射板ｊの斜視図（左側）および側面図（右側）である。
【００２８】
実施例３に係る光ピックアップ装置における反射板ｊは、鋼板製であって、その反射面として、側面形状が鋸刃状である反射用凹凸部が設けられている。この凹凸部は、反射板の側面図に示すように、レーザビームの入射角度に応じてフロントモニタ光受光素子ｇへ最大限反射されるように最適な（すなわち、ビームスプリッターｂ側がより小さく、コリメートレンズｃ側がより大きい）凹凸角度にされている。また、反射面にはクロムメッキ処理が施されている。
【００２９】
このような実施例３に係る光ピックアップ装置にあっては、メッキ処理が施された反射面としての反射用凹凸部からなる反射板ｊが設けられていることで、フロントモニタ光受光素子ｇの受光面に入射する光量を従来よりも、また、メッキ処理が施されていないものよりも、さらに、凹凸部のないものよりもいっそう多くすることができ、したがって、光ピックアップ装置の安定したレーザー出力制御を行うことが可能になり、ＣＤやＤＶＤに代表される光ディスクｆを高速で再生し、記録しあるいは消去することができる。
【実施例４】
【００３０】
図２の最下段の図は、実施例４に係る光ピックアップ装置における反射板ｋの斜視図（左側）および側面図（右側）である。
【００３１】
実施例４に係る光ピックアップ装置における反射板ｋは、鋼板製であって、その反射面の一部に反射用凹面部が設けられている。この凹面部は、反射板の側面図に示すように、コリメートレンズｃ側において、反射面の他の部分に連なるように設けられている。また、反射面の全体にはクロムメッキ処理が施されている。
【００３２】
このような実施例４に係る光ピックアップ装置にあっては、メッキ処理が施された反射面の一部に反射用凹面部を有する反射板ｋが設けられていることで、フロントモニタ光受光素子ｇの受光面に入射する光量を従来よりも、また、メッキ処理が施されていないものよりも、さらに、凹面部のないものよりもいっそう多くすることができ、したがって、光ピックアップ装置の安定したレーザー出力制御を行うことが可能になり、ＣＤやＤＶＤに代表される光ディスクｆを高速で再生し、記録しあるいは消去することができる。
【産業上の利用可能性】
【００３３】
本発明は、ＣＤやＤＶＤに代表される光ディスクについて情報の再生、記録および消去のうちの少なくとも１つを行うことのできる光ピックアップ装置に適用することができ、特に、フロントモニタ光受光素子を用いてレーザビームの出力を制御する光ピックアップ装置に適用することができる。
【図面の簡単な説明】
【００３４】
【図１】図１は、本発明の実施例１に係る光ピックアップ装置の概略構成図である。
【図２】図２の最上段の図は、本発明の実施例２〜４（ｉ／ｊ／ｋのそれぞれに対応）に係る光ピックアップ装置の概略構成図である。  図２の最上段のすぐ下の図は、実施例２に係る光ピックアップ装置における反射板ｉの斜視図（左側）および側面図（右側）である。  図２の最上段から２段下の図は、実施例３に係る光ピックアップ装置における反射板ｊの斜視図（左側）および側面図（右側）である。  図２の最下段の図は、実施例４に係る光ピックアップ装置における反射板ｋの斜視図（左側）および側面図（右側）である。
【図３】図３は従来の光ピックアップ装置を示す概略構成図である。
【符号の説明】
【００３５】
ａ：受発光一体型素子
ｂ：ビームスプリッター
ｃ：コリメートレンズ
ｄ：立ち上げミラー
ｅ：対物レンズ
ｆ：光学ディスク
ｇ：フロントモニタ光受光素子
ｈ：反射板（メッキ処理）
ｉ：反射板（切り起し部）
ｊ：反射板（凹凸面部）
ｋ：反射板（凹面部）
【図１】
2005259229.tif 000003
【図２】
2005259229.tif 000004
【図３】
2005259229.tif 000005